(57)【要約】【課題】バッチ処理を行うことなく、陽イオン用および陰イオン用の吸着電極各１枚と、対向電極が１枚で構成されたイオン濃度調整装置にて、陽イオンおよび陰イオン用の吸着電極と１枚の対向電極とに、同時に電圧印加することによってイオンの吸着処理および脱着処理が可能なイオン濃度調整装置を提供する。【解決手段】水溶液が収容される容器１０と、容器１０内に配置され、水溶液中のイオンの吸着および脱離が可能な第１吸着電極１と、容器１０内に第１吸着電極１と間隔をあけて配置され、水溶液中のイオンの吸着および脱離が可能な第２吸着電極２と、容器１０内に第１,第２吸着電極１,２に対向するように配置された対向電極３とを備える。上記対向電極３の第１部３aが第１吸着電極１に対向すると共に、対向電極３の第２部３bが第２吸着電極２に対向する。【選択図】図１
2013193024.tif 000002
【特許請求の範囲】
【請求項１】
水溶液が収容される容器と、
上記容器内に配置され、上記水溶液中のイオンの吸着および脱離が可能な第１吸着電極と、
上記容器内に上記第１吸着電極と間隔をあけて配置され、上記水溶液中のイオンの吸着および脱離が可能な第２吸着電極と、
上記容器内に上記第１,第２吸着電極と対向するように配置された対向電極と
を備え、
上記対向電極の一方側が上記第１吸着電極に対向すると共に、
上記対向電極の他方側が上記第２吸着電極に対向していることを特徴とするイオン濃度調整装置。
【請求項２】
請求項１に記載のイオン濃度調整装置において、
上記第１吸着電極と上記対向電極との間に、上記対向電極に対して相対的に正電圧または負電圧となるように電圧を印加するか、または、電圧を印加しないかを切り替える一方、上記第２吸着電極と上記対向電極との間に、上記対向電極に対して相対的に正電圧または負電圧となるように電圧を印加するか、または、電圧を印加しないかを切り替える電圧印加手段を有することを特徴とするイオン濃度調整装置。
【請求項３】
請求項１または２に記載のイオン濃度調整装置において、
上記対向電極の一方側の一面が上記第１吸着電極に対向すると共に、
上記対向電極の他方側の一面が上記第２吸着電極に対向しており、
上記対向電極の上記一方側の他面が上記第２吸着電極に対向していない一方、
上記対向電極の上記他方側の他面が上記第１吸着電極に対向していないことを特徴とするイオン濃度調整装置。
【請求項４】
請求項１から３までのいずれか１つに記載のイオン濃度調整装置において、
上記対向電極の上記一方側と上記他方側は、別体であって、上記一方側と上記他方側との間で電気的に接続されていることを特徴とするイオン濃度調整装置。
【請求項５】
請求項１から４までのいずれか１つに記載のイオン濃度調整装置において、
上記容器内は、上記第１吸着電極と上記対向電極の上記一方側とが対向する第１の領域と、上記第２吸着電極と上記対向電極の上記他方側とが対向する第２の領域とに区画され、
上記容器内の上記第１の領域と上記第２の領域との間に設けられ、上記第１の領域内の上記水溶液中のイオンが上記第２の領域内の上記水溶液中に移動することを抑制すると共に、上記第２の領域内の上記水溶液中のイオンが上記第１の領域内の上記水溶液中に移動することを抑制するイオン移動抑制手段を設けたことを特徴とするイオン濃度調整装置。
【請求項６】
請求項５に記載のイオン濃度調整装置において、
上記容器内の上記第１の領域または上記第２の領域の一方に外部から水溶液が流入した後、上記イオン移動抑制手段を介して上記第１の領域または上記第２の領域の他方から外部に流出するように形成された流路と、
上記流路に流れる上記水溶液の流量を制御する流量制御手段と
を備えたことを特徴とするイオン濃度調整装置。
【請求項７】
請求項５または６に記載のイオン濃度調整装置において、
上記イオン移動抑制手段は、上記容器内の上記第１の領域と上記第２の領域との間に設けられた絞り開口を有する隔壁であることを特徴とするイオン濃度調整装置。
【請求項８】
請求項１から７までのいずれか１つに記載のイオン濃度調整装置において、
上記第１吸着電極と上記第２吸着電極は、上記対向電極の中心点に対して点対称に配置されていることを特徴とするイオン濃度調整装置。
【請求項９】
請求項５から８までのいずれか１つに記載のイオン濃度調整装置において、
上記第１吸着電極と上記第２吸着電極は、上記対向電極に対して上下方向に配置されていることを特徴とするイオン濃度調整装置。
【請求項１０】
請求項５から８までのいずれか１つに記載のイオン濃度調整装置において、
上記第１吸着電極と上記第２吸着電極は、上記対向電極に対して横方向に配置されていることを特徴とするイオン濃度調整装置。
【発明の詳細な説明】
【技術分野】
【０００１】
この発明は、イオン濃度調整装置に関する。
【背景技術】
【０００２】
従来の電気二重層を利用したイオン濃度調整装置では、陽イオン用および陰イオン用の各イオン吸着電極間に電圧を印加して、水中のイオンを移動させることによりイオン量の制御を行い、軟水化および硬水化を行うものがある(例えば、国際公開第２００７／０３７１９３号パンフレット(特許文献１)参照)。
【０００３】
しかしながら、上記従来のイオン濃度調整装置では、吸着速度を上げるために印加電圧を高くすると、イオン吸着電極表面で水の電気分解が発生することにより、電気二重層の形成による電子のやり取りが効率的に行われ、イオンの吸着および脱着が行われなくなるために、硬度成分のみを増減させることができなくなるという問題がある。
【０００４】
また、上記従来のｐＨ調整装置(例えば、国際公開第２００６／１３２１６０号パンフレット(特許文献２)参照)では、イオンの吸着処理および吸着電極の再生処理を少なくとも１回以上は行わなければならないので、処理中に水溶液を一時保持したり入れ替えたりするバッチ処理用のシステムが必要であった。また、陽イオン用および陰イオン用の吸着電極各１枚と、対向電極が１枚で構成されたイオン濃度調整装置では、対向電極は陽イオン用もしくは陰イオン用のいずれか一方の吸着電極との間で電圧印加する必要があったため、硬度を調整するためにはバッチ処理を行う必要があった。
【先行技術文献】
【特許文献】
【０００５】
【特許文献１】国際公開第２００７／０３７１９３号パンフレット
【特許文献２】国際公開第２００６／１３２１６０号パンフレット
【発明の概要】
【発明が解決しようとする課題】
【０００６】
そこで、この発明の課題は、バッチ処理を行うことなく、陽イオン用および陰イオン用の吸着電極各１枚と、対向電極が１枚で構成されたイオン濃度調整装置にて、陽イオンおよび陰イオン用の吸着電極と１枚の対向電極とに、同時に電圧印加することによってイオンの吸着処理および脱着処理が可能なイオン濃度調整装置を提供することにある。
【課題を解決するための手段】
【０００７】
上記課題を解決するため、この発明のイオン濃度調整装置は、
水溶液が収容される容器と、
上記容器内に配置され、上記水溶液中のイオンの吸着および脱離が可能な第１吸着電極と、
上記容器内に上記第１吸着電極と間隔をあけて配置され、上記水溶液中のイオンの吸着および脱離が可能な第２吸着電極と、
上記容器内に上記第１,第２吸着電極と対向するように配置された対向電極と
を備え、
上記対向電極の一方側が上記第１吸着電極に対向すると共に、
上記対向電極の他方側が上記第２吸着電極に対向していることを特徴とする。
【０００８】
ここで、「対向電極」は、必ずしも１つの部材からなるものに限らず、例えば、２つの対向電極を同一平面上に隣接して配置して、その２つの対向電極の間で電気的に接続したものでもよい。
【０００９】
上記構成によれば、対向電極の一方側が第１吸着電極に対向すると共に、対向電極の他方側が第２吸着電極に対向することによって、第１吸着電極と第２吸着電極との間の電界の相互干渉を抑制でき、同一水溶液中で対向電極を隔壁構造にすることなく、同一容器内の水溶液中において陽イオンおよび陰イオンの吸着および脱離が行われる領域を切り分けることが可能になる。これによって、容器内の第１吸着電極が第１吸着電極に対向する対向電極の一方側との領域で陽イオンを吸着させ、容器内の第２吸着電極が第２吸着電極に対向する対向電極の他方側との領域で陰イオンを吸着させて、同一水溶液中で同電気量の陽イオンと陰イオンを除去し、水溶液の硬度成分を減少させることができる。また、容器内の第１吸着電極が第１吸着電極に対向する対向電極の一方側との領域で陽イオンを脱離させ、容器内の第２吸着電極が第２吸着電極に対向する対向電極の他方側との領域で陰イオンを脱離させて、同一水溶液中に同電気量の陽イオンと陰イオンを放出し、水溶液の硬度成分を増加させることができる。このとき、水の電気分解により第１吸着電極に対向する対向電極の一方側にＨ＋が生成され、第２吸着電極に対向する対向電極の他方側にＯＨ−が生成されても、同一水溶液内で同量のＨ＋とＯＨ−が発生して中和されるので、ｐＨは変化しない。
【００１０】
なお、第１吸着電極と対向電極の一方側との間および第２吸着電極と対向電極の他方側との間に、対向電極側のみに水の電気分解が起きる電圧を印加することで、軟水,硬水を生成する処理時間の短縮化が可能になる。また、第一吸着電極と対向電極の一方側との領域と、第２吸着電極と対向電極の他方側との領域との領域間に順に水溶液を流すことにより陽イオンおよび陰イオンを効率よく増減させることが可能となる
【００１１】
また、同一容器内でＨ＋とＯＨ−が生成される反応領域を切り分けることも可能になるので、例えば、Ｈ＋またはＯＨ−の反応領域が近接すると、水の電気分解によりＨ＋やＯＨ−を発生させるよりも、Ｈ＋とＯＨ−が平衡状態によりＨ２Ｏに戻る方がエネルギー的に低いため、このＨ＋またはＯＨ−の反応領域では水の電気分解が発生しないので、吸着処理および脱着処理の効率が悪くなる。このため、容器のくびれ等によりＨ＋とＯＨ−が生成される反応領域を分けることによって、同一水溶液内で硬度の制御効率を良くしたり、ｐＨの制御を同時に行ったりすることができる。したがって、バッチ処理を行うことなく、同一水溶液内で軟水と硬水を同時に生成したり酸性水とアルカリ性水を同時に生成したりできる。また、Ｈ＋またはＯＨ−が生成される反応領域を分けることができると、水流によりフロー制御を行った場合には、各領域での流量を同じに設定すれば、陽イオン用の処理領域と陰イオン用の処理領域をそれぞれ通過することができるため、一方のイオンを処理した水溶液から他方のイオンも処理できるため、効率よくイオンの増減を行うことができる。これにより、同一水溶液内で同時処理が可能となるため、処理中に水溶液を一時保持したり入れ替えたりするバッチ処理用のシステムを追加することなく、処理時間を短縮化することが可能になる。
【００１２】
また、一実施形態のイオン濃度調整装置では、
上記第１吸着電極と上記対向電極との間に、上記対向電極に対して相対的に正電圧または負電圧となるように電圧を印加するか、または、電圧を印加しないかを切り替える一方、上記第２吸着電極と上記対向電極との間に、上記対向電極に対して相対的に正電圧または負電圧となるように電圧を印加するか、または、電圧を印加しないかを切り替える電圧印加手段を有する。
【００１３】
上記実施形態によれば、電圧印加手段によって、第１吸着電極と対向電極との間に、対向電極に対して相対的に正電圧または負電圧となるように電圧を印加するか、または、電圧を印加しないかを切り替える一方、第２吸着電極と対向電極との間に、対向電極に対して相対的に正電圧または負電圧となるように電圧を印加するか、または、電圧を印加しないかを切り替えることによって、簡単な電圧制御で、ｐＨ変化のない軟水、ｐＨ変化のない硬水、硬度が下がった酸性水、硬度変化のない酸性水、硬度変化のないアルカリ性水、硬度が上がったアルカリ性水を生成することが可能になる。
【００１４】
また、一実施形態のイオン濃度調整装置では、
上記対向電極の一方側の一面が上記第１吸着電極に対向すると共に、
上記対向電極の他方側の一面が上記第２吸着電極に対向しており、
上記対向電極の上記一方側の他面が上記第２吸着電極に対向していない一方、
上記対向電極の上記他方側の他面が上記第１吸着電極に対向していない。
【００１５】
上記実施形態によれば、対向電極の一方側の一面が第１吸着電極に対向すると共に、対向電極の他方側の一面が第２吸着電極に対向しており、対向電極の一方側の他面が第２吸着電極に対向していない一方、対向電極の他方側の他面が第１吸着電極に対向していないので、第１吸着電極と第２吸着電極との間の電界の相互干渉を確実に防止できる。
【００１６】
また、一実施形態のイオン濃度調整装置では、
上記対向電極の上記一方側と上記他方側は、別体であって、上記一方側と上記他方側との間で電気的に接続されている。
【００１７】
上記実施形態によれば、対向電極の別体の一方側と他方側が、一方側と他方側との間で電気的に接続されていることによって、対向電極の製作や配置などの自由度が高くなる。
【００１８】
また、一実施形態のイオン濃度調整装置では、
上記容器内は、上記第１吸着電極と上記対向電極の上記一方側とが対向する第１の領域と、上記第２吸着電極と上記対向電極の上記他方側とが対向する第２の領域とに区画され、
上記容器内の上記第１の領域と上記第２の領域との間に設けられ、上記第１の領域内の上記水溶液中のイオンが上記第２の領域内の上記水溶液中に移動することを抑制すると共に、上記第２の領域内の上記水溶液中のイオンが上記第１の領域内の上記水溶液中に移動することを抑制するイオン移動抑制手段を設けた。
【００１９】
上記実施形態によれば、容器内の第１の領域と第２の領域で生成したＨ＋とＯＨ−が、第１の領域と第２の領域との近傍領域で反応し、水の電気分解を抑制することによってイオンの吸着能力および脱着能力を劣化させてしまうことを抑制することが可能になる。
【００２０】
また、一実施形態のイオン濃度調整装置では、
上記容器内の上記第１の領域または上記第２の領域の一方に外部から水溶液が流入した後、上記イオン移動抑制手段を介して上記第１の領域または上記第２の領域の他方から外部に流出するように形成された流路と、
上記流路に流れる上記水溶液の流量を制御する流量制御手段と
を備えた。
【００２１】
ここで、「流量を制御する」とは、流れの方向の制御も含む。
【００２２】
上記実施形態によれば、容器内の第１の領域または第２の領域の一方に外部から水溶液が流入した後、イオン移動抑制手段を介して第１の領域または第２の領域の他方から外部に流出するように流路を形成することによって、第１の領域でイオンの吸着処理もしくは脱着処理された水溶液に対し、第2の領域で先の処理されたイオンと異なったイオンを吸着もしくは脱着することにより、イオンの吸着および脱着の効率を良くすることができる。また、容器内の第１の領域内で生成された機能水と第２の領域で生成された機能水を、流量制御手段を用いて外部に容易に取り出すことができる。
【００２３】
また、一実施形態のイオン濃度調整装置では、
上記イオン移動抑制手段は、上記容器内の上記第１の領域と上記第２の領域との間に設けられた絞り開口を有する隔壁である。
【００２４】
上記実施形態によれば、容器内の第１の領域と第２の領域との間に設けられた絞り開口を有する隔壁をイオン移動抑制手段として用いることによって、簡単な構成で第１の領域と第２の領域との間で流路の流れを許容しつつイオンの移動を抑制できる。
【００２５】
また、一実施形態のイオン濃度調整装置では、
上記第１吸着電極と上記第２吸着電極は、上記対向電極の中心点に対して点対称に配置されている。
【００２６】
上記実施形態によれば、第１吸着電極と第２吸着電極を対向電極の中心点に対して点対称に配置することによって、第１吸着電極と第２吸着電極との間で互いの電界が直接影響し合うことを抑制できる。
【００２７】
また、一実施形態のイオン濃度調整装置では、
上記第１吸着電極と上記第２吸着電極は、上記対向電極に対して上下方向に配置されている。
【００２８】
上記実施形態によれば、対向電極に対して第１吸着電極と第２吸着電極を上下方向に配置することによって、水の高低差を用いて開閉弁の制御などにより、イオン移動抑制手段を介して容器内の第１の領域と第２の領域のうちの上方の側から下方の側に流すことが可能になる。
【００２９】
また、一実施形態のイオン濃度調整装置では、
上記第１吸着電極と上記第２吸着電極は、上記対向電極に対して横方向に配置されている。
【００３０】
上記実施形態によれば、対向電極に対して第１吸着電極と第２吸着電極を横方向に配置することによって、容器内の第１の領域と第２の領域を横方向に配置して、第１の領域内の機能水と第２の領域内の機能水を同じ条件(例えば、第１の領域と第２の領域の容積と流出流量が同じ)で外部に流出させることにより、イオン移動抑制手段を介して容器内の第１の領域と第２の領域を水溶液が通過することができ、各領域で水溶液中の異なった電気特性のイオンの吸着および脱着を行うことができる。また、第１の領域と第２の領域の夫々で生成した異なる機能水が混じり合うことなく、異なる機能水を別々に取り出すことが可能になる。
【発明の効果】
【００３１】
以上より明らかなように、この発明によれば、バッチ処理を行うことなく、陽イオン用および陰イオン用の吸着電極各１枚と、対向電極が１枚で構成されたイオン濃度調整装置にて、陽イオンおよび陰イオン用の吸着電極と１枚の対向電極とに、同時に電圧印加することによりイオンの吸着処理および脱着処理が可能なイオン濃度調整装置を実現することができる。
【図面の簡単な説明】
【００３２】
【図１】図１はこの発明の実施の一形態のイオン濃度調整装置の構成を示す模式図である。
【図２】図２は上記イオン濃度調整装置において軟水を生成するときの反応を説明するための模式図である。
【図３】図３は上記イオン濃度調整装置において硬水を生成するときの反応を説明するための模式図である。
【図４】図４は上記イオン濃度調整装置において硬度成分を減少させた酸性水と硬度成分を増加させたアルカリ性水を同時に生成するときの反応を説明するための模式図である。
【図５】図５は上記イオン濃度調整装置において硬度成分を減少させた酸性水と硬度成分を増加させたアルカリ性水を同時に生成するときの反応を説明するため模式図である。
【図６】図６は上記イオン濃度調整装置において硬度成分を減少させた酸性水を生成するときの反応を説明するための模式図である。
【図７】図７は上記イオン濃度調整装置において硬度成分を増加させたアルカリ性水を生成するときの反応を説明するための模式図である。
【図８】図８は上記イオン濃度調整装置において硬度変化のないアルカリ性水を生成するときの反応を説明するための模式図である。
【発明を実施するための形態】
【００３３】
以下、この発明のイオン濃度調整装置を図示の実施の形態により詳細に説明する。
【００３４】
図１はこの発明の実施の一形態のイオン濃度調整装置の構成を示している。
【００３５】
この実施の形態のイオン濃度調整装置は、図１に示すように、水溶液が収容される容器１０を備え、絞り開口４aを有する隔壁４によって容器１０内を第１の領域１１と第２の領域１２に区画している。この絞り開口４aを有する隔壁４がイオン移動抑制手段の一例である。ここで、水溶液とは、水道水などの電解質を含んだ水のことであるが、この実施の形態では、水溶液は中性軟水とする。
【００３６】
なお、世界保健機関(ＷＨＯ)の基準では、軟水の硬度は０〜６０[ｍｇ／Ｌ]未満、中程度の軟水(中硬水)の硬度は６０〜１２０[ｍｇ／Ｌ]未満、硬水の硬度は１２０[ｍｇ／Ｌ]以上である。ここで、硬度は次式により求められる。
硬度[ｍｇ／Ｌ]＝(カルシウム量[ｍｇ／Ｌ]×２.５)＋(マグネシウム量[ｍｇ／Ｌ]×４.１)
【００３７】
また、上記イオン濃度調整装置は、容器１０内の第１の領域１１に配置され、水溶液中のイオンの吸着および脱離が可能な第１吸着電極１と、容器１０内の第２の領域１２に第１吸着電極１と間隔をあけて配置され、水溶液中のイオンの吸着および脱離が可能な第２吸着電極２と、容器１０内かつ第１吸着電極１と第２吸着電極２との間に配置された対向電極３と、第１吸着電極１に正電圧または負電圧を印加する第１直流電源Ｅ１と、第２吸着電極２に正電圧または負電圧を印加する第２直流電源Ｅ２とを備えている。対向電極３に正電圧と負電圧との間の中間電圧などが印加される。
【００３８】
上記第１吸着電極１と第２吸着電極２は、多孔質の炭素材料(例えば活性炭)からなり、対向電極３は、溶解しない電極部材であればよく、カーボンなどでもよいが、水の電気分解が生じやすい金属(例えばＰt,Ａu,Ｐd,Ｒh,Ｉrの少なくとも１つの金属(または合金))が好適であり、例えばＴiからなる電極の表面をＰtで被覆したものでもよい。また、この実施の形態では、第１,第２吸着電極１,２および対向電極３は平板状としているが、電極材料や容器の形状に応じて適宜設定すればよい。
【００３９】
上記対向電極３は、容器１０内に隔壁４を貫通して配置され、第１の領域１１に位置する一方側である第１部３aと、第２の領域１２に位置する他方側である第２部３bとを有している。容器１０内の第１の領域１１において、対向電極３の第１部３aの一面(図１の右側)が第１吸着電極１に対向すると共に、容器１０内の第２の領域１２において、対向電極３の第２部３bの一面(図１の左側)が第２吸着電極２に対向している。この対向電極３の第１部３aの他面(図１の左側)が第２吸着電極２に対向していない一方、対向電極３の第２部３bの他面(図１の右側)が第１吸着電極１に対向していない。
【００４０】
また、上記第１直流電源Ｅ１は、切替スイッチＳＷ１を介して第１吸着電極１と対向電極３に接続され、切替スイッチＳＷ１を切り替えることにより、第１吸着電極１が陽極または陰極の一方になるように、第１吸着電極１と対向電極３との間に電圧を印加する。
【００４１】
また、上記第２直流電源Ｅ２は、切替スイッチＳＷ２を介して第２吸着電極２と対向電極３に接続され、切替スイッチＳＷ１を切り替えることにより、第２吸着電極２が陽極または陰極の一方になるように、第２吸着電極２と対向電極３との間に電圧を印加する。
【００４２】
上記第１直流電源Ｅ１と第２直流電源Ｅ２および切替スイッチＳＷ１,ＳＷ２で電圧印加手段を構成している。
【００４３】
また、上記容器１０内の第１の領域１１側かつ隔壁４の絞り開口４aと反対の側に配管Ｌ１の一端を接続している。この配管Ｌ１内を流れる水溶液の流量を制御する流量制御手段の一例としての第１流量制御部２１を配管Ｌ１に配設している。
【００４４】
また、上記容器１０内の第２の領域１２側かつ隔壁４の絞り開口４aと反対の側に配管Ｌ２の一端を接続している。この配管Ｌ２内を流れる水溶液の流量を制御する流量制御手段の一例としての第１流量制御部２２を配管Ｌ２に配設している。
【００４５】
上記第１流量制御部２１と第２流量制御部２２は、水道圧や水の高低差を利用して、開度制御により流量を調整する開閉弁であってもよいし、配管Ｌ１,Ｌ２内の水溶液を双方向に流すことが可能なポンプであってもよく、開閉弁とポンプを組み合わせたものでもよい。
【００４６】
上記イオン移動抑制手段である絞り開口４aを有する隔壁４は、第１の領域１１内の水溶液中のイオンが第２の領域１２内の水溶液中に移動することを抑制すると共に、第２の領域１２内の水溶液中のイオンが第１の領域１１内の水溶液中に移動することを抑制する。
【００４７】
なお、このイオン移動抑制手段は、絞り開口を有する隔壁ではなく、容器自体がくびれた形態でもよいし、単に隔壁に穴が複数個開いた形態でもよい。第１の領域１１と第２の領域１２の各断面積よりも境界部における開口の断面積を小さくすることにより、開口近傍の領域で水溶液が混じり合うことが少なくなる。
【００４８】
〔１．ｐＨ変化なしに硬度成分を減少させた軟水の生成〕
図２は上記イオン濃度調整装置において軟水を生成するときの反応を説明するための模式図を示している。
【００４９】
図２において、第１流量制御部２２により外部からの水溶液を容器１０の第１の領域１１内に配管Ｌ１を介して注入し、容器１０の第１の領域１１内から第２の領域１２内に隔壁４の絞り開口４aを介して流入した後、第２流量制御部２２により配管Ｌ２を介して流出する。
【００５０】
次に、切替スイッチＳＷ１を切り替えて、第１直流電源Ｅ１の正極を対向電極３に接続し、第１直流電源Ｅ１の負極を第１吸着電極１に接続する。また、切替スイッチＳＷ２を切り替えて、第２直流電源Ｅ２の正極を第２吸着電極２に接続し、第２直流電源Ｅ２の負極を対向電極３に接続する。ここで、第１直流電源Ｅ１により第１吸着電極１と対向電極３との間に印加する電圧は、水の電気分解が生じる電圧よりも低い電圧とすると共に、第２直流電源Ｅ２により第２吸着電極２と対向電極３との間に印加する電圧は、水の電気分解が生じる電圧よりも低い電圧としている。
【００５１】
これにより、容器１０の第１の領域１１内の水溶液中の陽イオン(Ｃa２＋,Ｍg２＋など)が陰極の第１吸着電極１に吸着されると共に、第２の領域１２内の水溶液中の陰イオン(Ｃl−など)が陽極の第２吸着電極２に吸着されて、容器１０の第１の領域１１と第２の領域１２を流れる間に硬度成分を減少させた機能水(軟水)が生成される。
【００５２】
このとき、第１直流電源Ｅ１により第１吸着電極１と対向電極３との間に印加する電圧は、対向電極３側のみで水の電気分解が起こる電圧とすると共に、第２直流電源Ｅ２により第２吸着電極２と対向電極３との間に印加する電圧は、対向電極３側のみで水の電気分解が起こる電圧とする方がよい。これによって、容器１０の第１の領域１１では、陽極となる対向電極３の第１部３aの表面では、
Ｈ２Ｏ  →  １／２Ｏ２↑＋２Ｈ＋＋２ｅ− 
の反応式で表される反応が生じて、酸素ガス(Ｏ２)と水素イオン(Ｈ＋)が発生一方、容器１０の第２の領域１２では、陰極となる対向電極３の第２部３bの表面では、
２Ｈ２Ｏ＋２ｅ−  →  Ｈ２↑＋２ＯＨ− 
の反応式で表される反応が生じて、水素ガス(Ｈ２)と水酸化物イオン(ＯＨ−)が発生する。
【００５３】
このようにして、第１吸着電極１に対向する対向電極３の第１部３aに水素イオン(Ｈ＋)が生成され、第２吸着電極２に対向する対向電極３の第２部３bに水酸化物イオン(ＯＨ−)が生成されても、同一水溶液内で同量の水素イオン(Ｈ＋)と水酸化物イオン(ＯＨ−)が発生して中和されるので、ｐＨは変化しない。吸着もしくは脱着するイオン量は、印加する電流量に正の相関があるため、水の電気分解が生じない電圧よりも対向電極３のみで水の電気分解が発生するように高い電圧を印加する方が処理できるイオン量は多くなり、硬度成分を減少させた機能水(軟水)を生成する処理時間を短縮できる。
【００５４】
上記第１,第２吸着電極１,２が水溶液中の陽イオン,陰イオンを吸着するのは、電場にしたがって荷電粒子が移動して、界面に正負の荷電粒子が対を形成して層状に並ぶという電気二重層理論による。
【００５５】
〔２．ｐＨ変化なしに硬度成分を増加させた硬水の生成〕
図３は上記イオン濃度調整装置において硬水を生成するときの反応を説明するための模式図を示している。
【００５６】
図３において、図２と同様に、第１流量制御部２２により外部からの水溶液を容器１０の第１の領域１１内に配管Ｌ１を介して注入し、容器１０の第１の領域１１内から第２の領域１２内に隔壁４の絞り開口４aを介して流入した後、第２流量制御部２２により配管Ｌ２を介して流出する。
【００５７】
次に、切替スイッチＳＷ１を切り替えて、第１直流電源Ｅ１の負極を対向電極３に接続し、第１直流電源Ｅ１の正極を第１吸着電極１に接続する。また、切替スイッチＳＷ２を切り替えて、第２直流電源Ｅ２の負極を第２吸着電極２に接続し、第２直流電源Ｅ２の正極を対向電極３に接続する。ここで、第１直流電源Ｅ１により第１吸着電極１と対向電極３との間に印加する電圧は、水の電気分解が生じる電圧よりも低い電圧とすると共に、第２直流電源Ｅ２により第２吸着電極２と対向電極３との間に印加する電圧は、水の電気分解が生じる電圧よりも低い電圧としている。
【００５８】
これにより、容器１０の第１の領域１１内の水溶液中の陽イオン(Ｃa２＋,Ｍg２＋など)が陰極の第１吸着電極１から放出されると共に、第２の領域１２内の水溶液中の陰イオン(Ｃl−など)が陽極の第２吸着電極２から放出されて、容器１０の第１の領域１１と第２の領域１２を流れる間に硬度成分を増加させた機能水(硬水)が生成される。
【００５９】
このとき、第１直流電源Ｅ１により第１吸着電極１と対向電極３との間に印加する電圧は、対向電極３側のみで水の電気分解が起こる電圧とすると共に、第２直流電源Ｅ２により第２吸着電極２と対向電極３との間に印加する電圧は、対向電極３側のみで水の電気分解が起こる電圧としてもよい。これによって、第１吸着電極１に対向する対向電極３の第１部３aにＯＨ−が生成され、第２吸着電極２に対向する対向電極３の第２部３bにＨ＋が生成されても、同一水溶液内で同量のＨ＋とＯＨ−が発生し、水溶液全体では電気容量は変化しないので、ｐＨは変化しない。水の電気分解が生じない電圧よりも対向電極３のみで水の電気分解が発生するように高い電圧を印加することにより、処理できるイオン量は多くなるため、硬度成分を減少させた機能水(軟水)を生成する処理時間を短縮できる。
【００６０】
図２,図３に示すイオン濃度調整装置によれば、容器１０内の対向電極３の一方側が第１吸着電極１に対向する第１の領域１１で陽イオンを吸着させ、容器１０内の対向電極３の他方側が第２吸着電極２に対向する第２の領域１２で陰イオンを吸着させて、同一水溶液中で同量の陽イオンと陰イオンを除去し、ｐＨを変化させずに水溶液の硬度成分を減少させることができる。これに続けて、容器１０内の対向電極３の一方側が第１吸着電極１に対向する第１の領域１２内で陽イオンを脱離させ、容器内の対向電極の他方側が第２吸着電極に対向する第２の領域１１で陰イオンを脱離させて、同一水溶液中に同量の陽イオンと陰イオンを放出し、ｐＨを変化させずに水溶液の硬度成分を増加させることができる。
【００６１】
このように、図２,図３に示す処理を交互に行うことにより、ｐＨ変化のない軟水と硬水を連続して生成することができる。
【００６２】
また、イオン濃度調整装置内を一定流量で水溶液を流すことにより、通常処理では各領域で片側のイオンの吸着および脱着を行うのみであったが、第１の領域と第２の領域を通ることにより、陽イオンと陰イオンの両方の吸着および脱着を行うことができ、効率のよい処理が可能になり、硬度変化の大きい軟水および硬水を生成することができる。
【００６３】
また、第１の領域および第２の領域で同極の電圧を印加することにより、硬度成分を減少させた酸性水と硬度成分を増加させたアルカリ性水、もしくは硬度成分の変化のない酸性水と硬度成分の変化のないアルカリ性水を効率よく生成することができる。
【００６４】
〔３．硬度成分を減少させた酸性水と硬度成分を増加させたアルカリ性水を同時に生成〕
図４は上記イオン濃度調整装置において硬度成分を減少させた酸性水と硬度成分を増加させたアルカリ性水を同時に生成するときの反応を説明するための模式図を示している。
【００６５】
図４において、第１流量制御部２２により外部からの水溶液を容器１０の第１の領域１１内に注入すると共に、容器１０の第１の領域１１内から第２の領域１２内に隔壁４の絞り開口４aを介して注入する。このとき、第２流量制御部２２は、配管Ｌ２を閉じている。
【００６６】
次に、切替スイッチＳＷ１を切り替えて、第１直流電源Ｅ１の正極を対向電極３に接続し、第１直流電源Ｅ１の負極を第１吸着電極１に接続する。また、切替スイッチＳＷ２を切り替えて、第２直流電源Ｅ２の正極を第２吸着電極２に接続し、第２直流電源Ｅ２の負極を対向電極３に接続する。ここで、第１直流電源Ｅ１により第１吸着電極１と対向電極３との間に印加する電圧は、対向電極３側のみで水の電気分解が起きる電圧とすると共に、第２直流電源Ｅ２により第２吸着電極２と対向電極３との間に印加する電圧は、対向電極３側のみで水の電気分解が生じる電圧よりも低い電圧としている。
【００６７】
そうすると、容器１０の第１の領域１１では、陰極となる第１吸着電極１に水溶液中のＣa２＋,Ｍg２＋などの陽イオン(図４ではＣa２＋のみを示す)が吸着されると共に、陽極となる対向電極３の第１部３aの表面では、
Ｈ２Ｏ  →  １／２Ｏ２↑＋２Ｈ＋＋２ｅ− 
の反応式で表される反応が生じて、酸素ガス(Ｏ２)と水素イオン(Ｈ＋)が発生する。
【００６８】
このとき、容器１０の第１の領域１１内の水溶液中の陽イオン(Ｃa２＋,Ｍg２＋など)が陰極の第１吸着電極１に吸着されて、処理前よりも硬度成分を減少させた機能水の一例としての酸性水が生成される。
【００６９】
一方、容器１０の第２の領域１２では、陽極となる第２吸着電極２から水溶液中に陽イオン(Ｃa２＋,Ｍg２＋など)が放出されると共に、陰極となる対向電極３の第２部３bの表面では、
２Ｈ２Ｏ＋２ｅ−  →  Ｈ２↑＋２ＯＨ− 
の反応式で表される反応が生じて、水素ガス(Ｈ２)と水酸化物イオン(ＯＨ−)が発生する。
【００７０】
このとき、容器１０の第２の領域１２内の水溶液中に陽極の第２吸着電極２から陽イオン(Ｃa２＋,Ｍg２＋など)が放出されて、処理前よりも硬度成分を増加させた機能水の一例としてのアルカリ性水が生成される。
【００７１】
上記第１,第２吸着電極１,２が水溶液中のイオンを吸着するのは、電場にしたがって荷電粒子が移動して、界面に正負の荷電粒子が対を形成して層状に並ぶという電気二重層理論による。
【００７２】
この後、第１,第２流量制御部２１,２２により、容器１０の第１の領域１１内の硬度成分を減少させた酸性水と第２の領域１２内の硬度成分を増加させたアルカリ性水を配管Ｌ１,Ｌ２を介して別々に取り出す。
【００７３】
例えば、容器１０内の第１の領域１１と第２の領域１２を横方向に配置している場合、第１の領域１１と第２の領域１２の容積が同じで流出流量を同じにして配管Ｌ１,Ｌ２を介して外部に夫々流出させることにより、隔壁４の絞り開口４aを介して容器１０の第１の領域１１と第２の領域１２で生成した異なる機能水が混じり合うことなく、異なる機能水を別々に取り出すことが可能になる。
【００７４】
なお、図４では、第１吸着電極１に予め陰イオンが吸着され、第２吸着電極２に予め陽イオンが吸着されているものとしている(例えば、後述する図５の機能水生成により、第１吸着電極１に陰イオンが吸着し、第２吸着電極２に陽イオンが吸着する)。しかしながら、第２吸着電極２に陽イオンを吸着していない場合は、容器１０の第２の領域１２内の水溶液は、硬度変化のない機能水の一例としてのアルカリ性水となる。
【００７５】
そして、再び、第１流量制御部２２により外部からの水溶液を容器１０の第１の領域１１内に注入させると共に、容器１０の第１の領域１１内から第２の領域１２内に隔壁４の絞り開口４aを介して注入する。
【００７６】
次に、図５に示すように、切替スイッチＳＷ１を切り替えて、第１直流電源Ｅ１の負極を対向電極３に接続し、第１直流電源Ｅ１の正極を第１吸着電極１に接続する。また、切替スイッチＳＷ２を切り替えて、第２直流電源Ｅ２の負極を第２吸着電極２に接続し、第２直流電源Ｅ２の正極を対向電極３に接続する。
【００７７】
そうすると、図４とは逆に、容器１０の第２の領域１２では、陰極となる第２吸着電極１に水溶液中のＣa２＋,Ｍg２＋などの陽イオン(図５ではＣa２＋のみを示す)が吸着されると共に、陽極となる対向電極３の第２部３bの表面では、酸素ガス(Ｏ２)と水素イオン(Ｈ＋)が発生する。
【００７８】
このとき、容器１０の第２の領域１２内の水溶液中の陽イオン(Ｃa２＋,Ｍg２＋など)が陰極の第２吸着電極２に吸着されて、処理前よりも硬度成分を減少させた機能水の一例としての酸性水が生成される。
【００７９】
一方、容器１０の第１の領域１１では、陽極となる第１吸着電極１から水溶液中に陽イオン(Ｃa２＋,Ｍg２＋など)が放出されると共に、陰極となる対向電極３の第１部３aの表面では、水素ガス(Ｈ２)と水酸化物イオン(ＯＨ−)が発生する。
【００８０】
このとき、容器１０の第１の領域１１内の水溶液中に陽極の第１吸着電極１から陽イオン(Ｃa２＋,Ｍg２＋など)が放出されて、処理前よりも硬度成分を増加させた機能水の一例としてのアルカリ性水が生成される。
【００８１】
このように、第１,第２吸着電極１,２の電圧の極性を切り替えて、図４の機能水生成と図５の機能水生成を交互に繰り返すことにより、２つの第１,第２の領域１１,１２で同時に異なる機能水を生成できる。
【００８２】
図４,図５に示すイオン濃度調整装置によれば、効率的に同一水溶液内で軟水と硬水を同時に生成したり酸性水とアルカリ性水を同時に生成したりできる。
【００８３】
この発明のイオン濃度調整装置は、第１吸着電極１と第２吸着電極２との間の電界の相互干渉を抑制でき、同一水溶液中で第１,第２吸着電極１,２の対極としての対向電極３を隔壁構造にすることなく、同一容器１０内でＨ＋が生成される領域とＯＨ−が生成される領域を切り分けられる構造にしたものである。このように、対向電極３の水溶液に浸かっている部分を切り分けると共に、水溶液中において陽イオンおよび陰イオンの吸着および脱離が行われる領域も切り分け可能な構造にすることで、同一水溶液内で硬度の制御を同時に行ったりｐＨの制御を同時に行ったりすることができる。
【００８４】
従来のイオン濃度調整装置では、電極間に水の電気分解電圧以下の電圧で処理する必要があったのに対して、この発明のイオン濃度調整装置では、電極間に水の電気分解電圧以上の電圧を印加することができる。
【００８５】
また、電気二重層理論では、電極間の距離が同一であれば、電極間に印加した電圧が大きいほど処理時間を短くすることができる。このため、この発明のイオン濃度調整装置では、同一水溶液内で同時処理が可能となるため、処理中に水溶液を一時保持したり入れ替えたりするバッチ処理用のシステムを追加することなく、処理時間の短縮を行うことができる。
【００８６】
また、上記電圧印加手段(Ｅ１,Ｅ２,ＳＷ１,ＳＷ２)によって、第１吸着電極１と対向電極３との間に、対向電極３に対して相対的に正電圧または負電圧となるように電圧を印加するか、または、電圧を印加しないかを切り替える一方、第２吸着電極２と対向電極３との間に、対向電極３に対して相対的に正電圧または負電圧となるように電圧を印加するか、または、電圧を印加しないかを切り替えることによって、簡単な電圧制御で、ｐＨ変化のない軟水、ｐＨ変化のない硬水、硬度が下がった酸性水、硬度変化のない酸性水、硬度変化のないアルカリ性水、硬度が上がったアルカリ性水を生成することが可能になる。
【００８７】
また、上記対向電極３の第１部３aの一面が第１吸着電極１に対向すると共に、対向電極３の第２部３bの一面が第２吸着電極２に対向しており、対向電極３の第１部３aの他面が第２吸着電極２に対向していない一方、対向電極３の第２部３bの他面が第１吸着電極１に対向していないので、第１吸着電極１と第２吸着電極２との間の電界の相互干渉を確実に防止することができる。
【００８８】
また、上記対向電極は、別体の第１部と第２部からなり、第１部と第２部との間で電気的に接続されていてもよい。この場合、対向電極の製作や配置などの自由度が高くなる。
【００８９】
また、上記容器１０内の第１の領域１１と第２の領域１２との間に設けられたイオン移動抑制手段としての絞り開口４aを有する隔壁４によって、第１の領域１１内の水溶液中のイオンが第２の領域１２内の水溶液中に移動することを抑制すると共に、第２の領域１２内の水溶液中のイオンが第１の領域１１内の水溶液中に移動することを抑制する。これにより、容器１０内の第１の領域１１と第２の領域１２で生成した異なる機能水のイオンが混合しあって、機能水の性質が劣化してしまうことを抑制することが可能になる。
【００９０】
また、上記容器１０内の第１の領域１１と第２の領域１２との間に設けられた絞り開口４aを有する隔壁４をイオン移動抑制手段として用いることによって、簡単な構成で第１の領域１１と第２の領域１２との間でイオンの移動を抑制できる。
【００９１】
また、上記第１吸着電極１と第２吸着電極２を対向電極３の中心点に対して点対称に配置することによって、第１吸着電極１と第２吸着電極２との間で互いの電界が直接影響し合うことを抑制することができる。
【００９２】
〔４．硬度成分を減少させた酸性水と硬度成分を増加させたアルカリ性水を交互に生成〕
図６は上記イオン濃度調整装置において硬度成分を減少させた酸性水を生成するときの反応を説明するための模式図を示している。
【００９３】
図６において、第１流量制御部２２により外部からの水溶液を容器１０の第１の領域１１内に注入させると共に、容器１０の第１の領域１１内から第２の領域１２内に隔壁４の絞り開口４aを介して注入する。このとき、第２流量制御部２２は、配管Ｌ２を閉じている。
【００９４】
次に、切替スイッチＳＷ１を切り替えて、第１直流電源Ｅ１の正極を対向電極３に接続し、第１直流電源Ｅ１の負極を第１吸着電極１に接続する。また、切替スイッチＳＷ２を切り替えて、第２直流電源Ｅ２の負極を第２吸着電極２に接続し、第２直流電源Ｅ２の正極を対向電極３に接続する。ここで、第１直流電源Ｅ１により第１吸着電極１と対向電極３との間に印加する電圧は、対向電極３側のみで水の電気分解が起きる電圧とすると共に、第２直流電源Ｅ２により第２吸着電極２と対向電極３との間に印加する電圧は、対向電極３側のみで水の電気分解が生じる電圧よりも低い電圧としている。
【００９５】
そうすると、容器１０の第１の領域１１および第２の領域１２では、陰極となる第１,第２吸着電極１,２に水溶液中のＣa２＋,Ｍg２＋などの陽イオン(図６ではＣa２＋のみを示す)が吸着されると共に、陽極となる対向電極３の第１部３aおよび第２部３bの各表面では、酸素ガス(Ｏ２)と水素イオン(Ｈ＋)が発生する。
【００９６】
このとき、容器１０の第１の領域１１内および第２の領域１２内の水溶液中の陽イオン(Ｃa２＋,Ｍg２＋など)が陰極の第１,第２吸着電極１,２に吸着されて、機能水の一例としての硬度成分を減少させた酸性水が生成される。
【００９７】
この後、第１,第２流量制御部２１,２２により、容器１０の第１の領域１１内および第２の領域１２内の硬度成分を減少させた酸性水を配管Ｌ１,Ｌ２を介して取り出す。
【００９８】
例えば、容器１０の第１の領域１１と第２の領域１２を、第１の領域１１を上側にして縦方向に配置している場合、水の高低差を用いて開閉弁などの制御により、隔壁４の絞り開口４aを介して容器１０内の第１の領域１１と第２の領域１２のうちの上方の側から下方の側に流すことが可能になる。
【００９９】
そして、再び、第１流量制御部２２により外部からの水溶液を容器１０の第１の領域１１内に注入させると共に、容器１０の第１の領域１１内から第２の領域１２内に隔壁４の絞り開口４aを介して注入する。
【０１００】
次に、図７に示すように、切替スイッチＳＷ１を切り替えて、第１直流電源Ｅ１の負極を対向電極３に接続し、第１直流電源Ｅ１の正極を第１吸着電極１に接続する。また、切替スイッチＳＷ２を切り替えて、第２直流電源Ｅ２の正極を第２吸着電極２に接続し、第２直流電源Ｅ２の負極を対向電極３に接続する。
【０１０１】
そうすると、容器１０の第１の領域１１および第２の領域１２では、陽極となる第１,第２吸着電極１,２から水溶液中に陽イオン(Ｃa２＋,Ｍg２＋など)が放出されると共に、陰極となる対向電極３の第１部３aと第２部３bの各表面では、水素ガス(Ｈ２)と水酸化物イオン(ＯＨ−)が発生する。
【０１０２】
このとき、容器１０の第１の領域１１内および第２の領域１２内の水溶液中に陽極の第１,第２吸着電極１,２から陽イオン(Ｃa２＋,Ｍg２＋など)が放出されて、機能水の一例としての硬度成分を増加させたアルカリ性水が生成される。
【０１０３】
このように、第１,第２吸着電極１,２の電圧の極性を切り替えて、図５の硬度成分を減少させた酸性水の生成と図６の硬度成分を増加させたアルカリ性水の生成を交互に繰り返すことにより異なる機能水を交互に生成できる。
【０１０４】
なお、図８は上記イオン濃度調整装置において硬度変化のないアルカリ性水を生成するときの反応を説明するための模式図である。
【０１０５】
図８に示すように、第１,第２吸着電極１,２に陽イオンが吸着していない状態で、図７と同様に、第１直流電源Ｅ１の負極を対向電極３に接続し、第１直流電源Ｅ１の正極を第１吸着電極１に接続すると共に、第２直流電源Ｅ２の正極を第２吸着電極２に接続し、第２直流電源Ｅ２の負極を対向電極３に接続する。
【０１０６】
この場合、容器１０の第１の領域１１内および第２の領域１２内の水溶液中に陽極の第１,第２吸着電極１,２から陽イオン(Ｃa２＋,Ｍg２＋など)が放出されないので、容器１０の第１の領域１１内および第２の領域１２内では、硬度変化のないアルカリ性水が生成される。
【０１０７】
図６〜図８において、容器１０内の第１の領域１１または第２の領域１２の一方に外部から水溶液が流入した後、隔壁４の絞り開口４aを介して第１の領域１１または第２の領域１２の他方から外部に流出するように流路を形成して、第１,第２流量制御部２１,２２により水溶液の流量を制御することによって、容器１０内の第１の領域１１内で生成された機能水と第２の領域１２で生成された機能水を外部に容易に取り出すことができる。
【０１０８】
この発明のイオン濃度調整装置では、一つの容器を、容積が約１/２ずつの第１,第２の領域に区画されるように、容器をくびれさせるか、または、絞り開口を有する隔壁を設けて、対極である対向電極が容器の異なる第１,第２の領域にそれぞれ同じ程度の体積または表面積になるように設置する。そうして、容器のくびれ部分の開口部または絞り開口は、水溶液がある程度自由に交換できるサイズとするが、Ｈ＋またはＯＨ−の各イオンの移動が短絡的に行われないようにする。
【０１０９】
このような構造の容器の第１,第２の領域内に第１,第２吸着電極を夫々設置して、対向電極が中間電圧になるようにして、第１,第２吸着電極間に正電圧と負電圧を切り替えることができる電源を備えた構成のイオン濃度調整装置とする。このような構成のイオン濃度調整装置は、バッチ処理を行うことも可能であるが、容器の第１,第２の領域間のくびれの部分または絞り開口の部分で流量を調整することによって、容器内の第１,第２の領域において水溶液を適切に滞留するように設計して、フロー処理を行うことができる。
【０１１０】
上記図４,図５では、酸性硬水とアルカリ性軟水を生成するイオン濃度調整装置について説明したが、酸性硬水は、図６で生成された硬度成分を減少させた酸性水に対して吸着電極と中間電極との間に電気分解を生じない逆極性の電圧を印加することにより、陽極となった第１,第２吸着電極から陽イオンを放出させて、酸性硬水を生成することができる。
【０１１１】
また、アルカリ性軟水は、図７で生成された硬度成分を増加させたアルカリ性水に対して第１,第２吸着電極と対向電極との間に電気分解を生じない逆極性の電圧を印加することにより、陰極となった第１,第２吸着電極に陽イオンを吸着させて、アルカリ性軟水を生成することができる。
【０１１２】
この発明において、機能水とは、電解質を含む水溶液に電流を流すことで起きる電気化学反応によって有用な機能を獲得した水のことである。
【０１１３】
例えば、硬度成分を減少させた酸性水は、除菌、殺菌、ガラスコップのウォータースポットの除去、スケール成分の除去に有用である。また、硬度変化のない酸性水は、除菌、殺菌に有用である。また、硬度変化のないアルカリ性水は、油脂分の洗浄、タンパク質の分解、でんぷんの膨潤作用に有効である。また、硬度成分を増加させたアルカリ性水は、タンパク質の分解に好適であるので、洗濯機の洗濯物や食洗機の食器などのタンパク汚れを除去するのに有用である。
【０１１４】
また、上記実施の形態では、第１吸着電極１と第２吸着電極２を対向電極３の中心点に対して点対称に配置したイオン濃度調整装置について説明したが、例えば、対向電極の一面側の１／２が第１吸着電極に対向し、同一面側の他の１／２が第１吸着電極に対向していてもよく、第１部の一面が第１吸着電極に対向すると共に、対向電極の第２部の一面が第２吸着電極に対向していればよい。
【０１１５】
この発明の具体的な実施の形態について説明したが、この発明は上記実施の形態に限定されるものではなく、この発明の範囲内で種々変更して実施することができる。
【符号の説明】
【０１１６】
１…第１吸着電極
２…第２吸着電極
３…対向電極
４…隔壁
４a…絞り開口
１０…容器
１１…第１の領域
１２…第２の領域
２１…第１流量制御部
２２…第２流量制御部
Ｅ１…第１直流電源
Ｅ２…第２直流電源
ＳＷ１,ＳＷ２…切替スイッチ
【図１】
2013193024.tif 000003
【図２】
2013193024.tif 000004
【図３】
2013193024.tif 000005
【図４】
2013193024.tif 000006
【図５】
2013193024.tif 000007
【図６】
2013193024.tif 000008
【図７】
2013193024.tif 000009
【図８】
2013193024.tif 000010